(57)【特許請求の範囲】
【請求項１】
モバイルコンピューティング機器の表面上のカメラとスクリーンを用いて、アダプタに連結された試験片を測定するために、モバイルコンピューティング機器に対するアダプタの配置を改善する方法であって、
スクリーンの第１の部分に光領域を表示するステップと、
スクリーンでの光領域の位置に応じて、ユーザがアダプタをモバイルコンピューティング機器に配置するための第１の誘導情報を提供するステップとを含み、
スクリーンの第１の部分に光領域を表示するステップにおいて、
第１の部分はカメラに隣接し、
カメラが試験片の主要領域の画像を取得するように、光領域とカメラが当該主要領域と整列して配置されるように構成され、光領域はスクリーン上で移動可能である、方法。
【請求項２】
第１の部分は、試験片の主要領域を照らす光源として構成される、請求項１に記載の方法。
【請求項３】
モバイルコンピューティング機器の第１のモデルを検知するステップをさらに含む、請求項１に記載の方法。
【請求項４】
第１のモデルとスクリーン上の光領域の位置を関連付けるステップをさらに含む、請求項３に記載の方法。
【請求項５】
第１のモデルが既知のモデルでないことに応じて、光領域がカメラと整列するように、ユーザが光領域を移動させるための第２の誘導情報を提供するステップをさらに含む、請求項３に記載の方法。
【請求項６】
第１のモデルが既知でないことに応じて、ユーザがカメラを覆うための第３の誘導情報を提供するステップをさらに含む、請求項３に記載の方法。
【請求項７】
カメラが覆われることに応じて、ユーザがカメラからスクリーンへの軌跡を生成するための第４の誘導情報を提供するステップをさらに含む、請求項６に記載の方法。
【請求項８】
軌跡は、スクリーンと幾何学的関係を保持する、請求項７に記載の方法。
【請求項９】
スクリーン上で軌跡を検知するステップをさらに含む、請求項７に記載の方法。
【請求項１０】
検知した軌跡がスクリーン上で予め決められた範囲内にあることに応じて、検知した軌跡に基づきスクリーンの第１の部分に光領域を表示する、請求項９に記載の方法。
【請求項１１】
光領域がカメラと整列するように、スクリーン上でユーザが光領域を移動させるための第５の誘導情報を提供するステップをさらに含む、請求項１０に記載の方法。
【発明の詳細な説明】
【関連出願の相互参照】
【０００１】
本願は、２０１７年３月１７日に出願された米国仮特許出願第６２／４７２，５８５号、２０１７年４月２０日に出願された米国仮特許出願第６２／４８７，４８６号および２０１７年６月１８日に出願された米国仮特許出願第６２／５２１，４５７号に基づく利益を主張するものであり、当該出願の全体を参照により援用する。
【背景技術】
【０００２】
近年、体外診断（ＩＶＤ）装置、特に血糖測定器が、慢性疾患を抱える患者の間で広く受け入れられるようになってきた。測定を行うために、患者は通常、独立型のＩＶＤ装置を常に携帯する必要がある。
【０００３】
典型的なＩＶＤ測定において、試験片（ｔｅｓｔ  ｓｔｒｉｐ）は酵素から成り、試薬が使用される。試料流体を受け、例えば電気インピーダンスや色のような試験片の特性は、例えば血糖や血中コレステロールなどの対象とする分析物の濃度によって変化する。
【０００４】
光化学に基づく（Ｏｐｔｏｃｈｅｍｉｓｔｒｙ−ｂａｓｅｄ）ＩＶＤシステムは通常、受け取った分析物の濃度によって色が変化する試験片と、試験片を照らす特定の光源と、散乱光を検出する光センサと、遮光ケースとを備える。しかしながら、これら既存のＩＶＤ装置は、試験片の分析前または分析中に当該装置の作動状態を検証またはキャリブレーションするメカニズムを何らサポートせず、一貫性がなく時に信頼性のない試験結果を生じる。
【０００５】
本開示の例において、モバイルコンピューティング機器の表面上のカメラとスクリーンを用いて、アダプタに連結された試験片を測定するために、モバイルコンピューティング機器に対するアダプタの配置を改善する方法が提供される。当該方法は、スクリーンの第１の部分に光領域を表示することを含む。第１の部分は、カメラに隣接する。光領域とカメラは、試験片の主要領域（ｋｅｙ  ａｒｅａ）と揃えられ、これによりカメラは当該主要領域の画像を取得するように構成される。当該方法はさらに、スクリーン上の光領域の位置に応じて、ユーザがアダプタをモバイルコンピューティング機器に配置するための、第１の誘導情報を提供することを含む。
【発明の概要】
【０００６】
本開示の例において、試験片を受けるアダプタに連結されたモバイルコンピューティング機器を用いて、分析物をより良く測定する方法が提供される。試験片は、分析物と反応する試薬を含む主要領域を有する。当該方法は、モバイルコンピューティング機器のカメラによって取得された主要領域の画像を分析する前に、モバイルコンピューティング機器の第１の位置を検出することを含む。第１の位置が実質的に水平であることに応じて、当該方法は、主要領域の画像上で分析を実行することを含む。第１の位置が、実質的に水平である状態から第１の閾値を超えることに応じて、当該方法は、ユーザが第１の位置を調整するための第１の誘導情報を提供することを含む。
【図面の簡単な説明】
【０００７】
本開示の前述した特徴および他の特徴は、添付の図面と併せて、下記の説明と添付の特許請求の範囲から、十分に明らかになるであろう。これらの図面は、本開示に従ういくつかの実施形態を示すにすぎず、本開示の範囲を限定するものと解されるべきではない。添付の図面を用い、本開示は、さらなる具体性と詳細を以て説明される。
【０００８】
【図１】本開示のいくつかの実施形態によるモバイルコンピューティング機器１００の斜視図
【図２】本開示のいくつかの実施形態によるモバイルコンピューティング機器１００、モバイルコンピューティング機器アダプタ２１０および試験片アダプタ２２０の上面分解斜視図
【図３】本開示のいくつかの実施形態による、モバイルコンピューティング機器の表面上のカメラとスクリーンを用いて、アダプタに連結された試験片を測定するために、モバイルコンピューティング機器に対するアダプタの配置を改善する方法３００のフローチャート
【図４】本開示のいくつかの実施形態による、モバイルコンピューティング機器１００のスクリーン１０８上における第１の軌跡４１０及び第２の軌跡４２０を示す、モバイルコンピューティング機器の斜視図４００
【図５】本開示のいくつかの実施形態による、モバイルコンピューティング機器１００のスクリーン１０８上における光領域５１０を示す、モバイルコンピューティング機器の斜視図５００
【図６】本開示のいくつかの実施形態による、分析物と反応する試薬を含む、主要領域を有する試験片を受けるアダプタに連結された、モバイルコンピューティング機器を用いて、分析物をより良く測定する方法６００のフローチャート
【図７】本開示のいくつかの実施形態による、モバイルコンピューティング機器１００の姿勢を示すモバイルコンピューティング機器１００の斜視図７００
【発明を実施するための形態】
【０００９】
以下の詳細な説明では、本明細書の一部である添付図面を参照する。図面において、文脈上別途指示がない限り、通例、類似の記号は類似の構成要素を示し、同じ数字は同じ構成要素を示す。詳細な説明と図面に記載される例示的な実施形態は、限定を意図するものではない。本明細書に提示された主題の精神または範囲を逸脱することなく、他の実施形態が使用されてもよく、他の変更がされてもよい。本明細書で一般的に記載され、図面で例示されるような本開示の側面は、多種多様な種々の構成において、変更、置換、組み合わせ、および設計されることができ、これら種々の構成の全てが本明細書において明示的に予期されていることは、容易に理解されよう。
【００１０】
図１は、本開示のいくつかの実施形態によるモバイルコンピューティング機器１００の斜視図を示す。モバイルコンピューティング機器１００は、近接センサ１０３と、カメラ１０４と、イヤースピーカー１０６と、スクリーン１０８とを、モバイルコンピューティング機器１００の表面１１０（例えば前面）上に有する。表面１１０上で、近接センサ１０３とカメラ１０４は、互いに隣接して配置される。イヤースピーカー１０６は、穴（図１に図示）または表面１１０の上方の突出部（図示せず）の形態を有する。モバイルコンピューティング機器１００は、プロセッサ１１２と、揮発性メモリ１１４と、不揮発性メモリ１１６とを含む。不揮発性メモリ１１６は、測光（ｐｈｏｔｏｍｅｔｒｉｃ）試験片分析器１１７のためのコードを記憶する。モバイルコンピューティング機器１００は、携帯電話、タブレットコンピュータ、またはラップトップコンピュータであってもよい。
【００１１】
いくつかの実施形態において、スクリーン１０８は、光源領域１１８とユーザインタフェース領域１１９を含む。光源領域１１８は、モバイルコンピューティング機器１００に連結されたアダプタ（例えば、モバイルコンピューティング機器アダプタ、試験片アダプタまたはモバイルコンピューティング機器及び試験片のための一体型アダプタ）に入るように光を放射する。光源領域１１８によって放射された光は、試験片アダプタに受けられた、または連結された試験片の主要領域（例えば、試験片の反応領域）を照らす。カメラ１０４は、光によって照らされる試験片の主要領域の画像を取得する。当該光は、光源領域１１８から放射され、試験片の主要領域を通過し、当該主要領域から散乱または反射された光である。光源領域１１８とカメラ１０４は、試験片の主要領域と整列して配置される。測光試験片分析器１１７は、試験片上の分析物に関連する情報を得るために、取得した画像を分析する。
【００１２】
図２は、本開示のいくつかの実施形態による、モバイルコンピューティング機器１００、モバイルコンピューティング機器アダプタ２１０及び試験片アダプタ２２０の上面分解斜視図を示す。いくつかの実施形態において、モバイルコンピューティング機器アダプタ２１０は、モバイルコンピューティング機器１００に連結し、試験片アダプタ２２０は、モバイルコンピューティング機器アダプタ２１０に連結する。いくつかの実施形態において、モバイルコンピューティング機器アダプタ１２０と試験片アダプタ２２０は、一体型アダプタを形成するように統合される。
【００１３】
いくつかの実施形態において、試験片アダプタ２２０は、試験片２２１を受ける。試験片２２１は、主要領域（例えば、反応領域）を含む。反応領域は、試験片２２１と接触する標本試料（例えば、血液試料）中の分析物（例えば、グルコース）と反応する試薬を含む。標本試料が反応領域に到達すると、反応領域は、分析物の特性（例えば、血液中の血糖値）に応じて色が変わる。
【００１４】
いくつかの実施形態において、試験片２２１が試験片アダプタ２２０に完全に挿入された後、試験片２２１の反応領域の位置は、試験片アダプタ開口部２２３と対応する。試験片アダプタ２２０は、モバイルコンピューティング機器１００に連結される。いくつかの実施形態において、試験片アダプタ２２０がモバイルコンピューティング機器アダプタ２１０に連結または統合されるとき、試験片アダプタ開口部２２３は、モバイルコンピューティング機器アダプタ２１０の上面開口部２１１と対応し、かつ光学的に接続（ｏｐｔｉｃａｌｌｙ  ｃｏｍｍｕｎｉｃａｔｅ）する。
【００１５】
いくつかの実施形態において、モバイルコンピューティング機器アダプタ２１０は、上面開口部２１１と光学的に通信する下面開口部（図示せず）を含む。いくつかの実施形態において、モバイルコンピューティング機器アダプタ２１０は、下面開口部がカメラ１０４と光源領域１１８のいずれとも整列する位置で、モバイルコンピューティング機器１００に連結される。
【００１６】
いくつかの実施形態において、光源領域１１８は、スクリーン１０８から光を放射する。放射された光は、下面開口部及び対応する上面開口部２１１を通過し、上面開口部２１１と対応する試験片アダプタ開口部２２３を通り試験片アダプタ２２０に入射して、試験片２２１の反応領域を照らす。カメラ１０４は、試験片アダプタ開口部２２３、上面開口部２１１及び下面開口部を通して、反応領域の画像を取得する。測光試験片分析器１１７は、分析物に関連する情報を得るために、画像を分析する。
【００１７】
図３は、本開示のいくつかの実施による、モバイルコンピューティング機器の表面上のカメラとスクリーンを用いて、アダプタに連結された試験片を測定するために、モバイルコンピューティング機器に対するアダプタの配置を改善する方法３００のフローチャートである。方法３００は、１つまたは複数のブロックによって示される１つまたは複数の操作、機能または動作を含む。方法３００及び本明細書における他の方法のブロックは、順次的に示されるが、これらのブロックは並列に、または本明細書で説明される順序とは異なる順序で、実行されてもよい。また、種々のブロックが、より少数のブロックに結合され、追加のブロックに分割され、または望ましい実装に基づいて削除されてもよい。方法３００は、ブロック３０１から開始する。
【００１８】
ブロック３０１において、プロセッサ１１２は、測光試験片分析器１１７を実行するようにユーザ入力を受ける。それに応じて、プロセッサ１１２は、測光試験片分析器１１７のためのコードを実行する。ブロック３０１に続きブロック３０２に進む。
【００１９】
ブロック３０２において、プロセッサ１１２は、ユーザがモバイルコンピューティング機器アダプタ２１０をモバイルコンピューティング機器１００に配置するための、第１の誘導情報を提供する。いくつかの実施形態において、第１の誘導情報は、ユーザインタフェース領域１１９に表示される情報、またはイヤースピーカー１０６から出る音を含むが、これに限らない。第１の誘導情報は、本開示の中で開示される他の誘導情報と、類似または同一の形態を有する。ブロック３０２に続きブロック３０３に進む。
【００２０】
ブロック３０３において、プロセッサ１１２は、モバイルコンピューティング機器１００のモデルを検出し、揮発性メモリ１１４及び／または不揮発性メモリ１１６内、またはプロセッサ１１２によってアクセス可能なデータベース内に記録されたデータに基づいて、当該モデルが既知のモデルか否かを判断する。モバイルコンピューティング機器１００の検出されたモデルが既知である場合、ブロック３０３に続き、ブロック３０９に進む。ブロック３０９において、揮発性メモリ１１４及び／または不揮発性メモリ１１６内、またはプロセッサ１１２によってアクセス可能なデータベース内に記録された既知のモデルと関連付けられた位置データに基づき、光領域（例えば、図５における光領域５１０）がスクリーン１０８に表示される。いくつかの実施形態において、光領域は、光源領域１１８と対応する。ブロック３１０がブロック３０９の後に続く。ブロック３１０において、プロセッサ１１２は、ユーザがスクリーン１０８上の光領域の位置に応じて、モバイルコンピューティング機器アダプタ２１０をモバイルコンピューティング機器１００に配置するための、第２の誘導情報を提供する。
【００２１】
モバイルコンピューティング機器１００が既知のモデルでないことに応じて、いくつかの実施形態において、第１のアプローチ（図３における実線「第１」）では、ブロック３０３に続きブロック３０４に進む。いくつかの実施形態において、第２のアプローチ（図３における破線「第２」）では、ブロック３０３に続きブロック３０８に進む。
【００２２】
第１のアプローチでは、ブロック３０４において、プロセッサ１１２は、ユーザがカメラ１０４を覆うように、第３の誘導情報を提供する。カメラ１０４は、ユーザの指またはユーザが操作する器具（例えば、スタイラスペン）によって覆われる。いくつかの他の実施形態において、スクリーン１０８は、ユーザが指またはスタイラスペンを配置することを補助する指標（ｉｎｄｉｃａｔｏｒ）として、カメラ１０４に隣接するスクリーン１０８の一部を照らす。ブロック３０４に続きブロック３０５に進む。
【００２３】
近年、モバイルコンピューティング機器１００は、複数の機能を含み、機能に対応する要素を有する。これらの要素は、外観が類似していることがある。例えば、近接センサ１０３とカメラ１０４は、類似した外観を有し、互いに隣接している。ユーザは、近接センサ１０３をカメラ１０４と混同することがある。したがって、ブロック３０５において、プロセッサ１１２は、カメラ１１４が覆われたか否かを判断する。いくつかの実施形態において、プロセッサ１１２は、ある時間内に複数の画像を取得するように、カメラ１０４に指示を出す。カメラ１０４が覆われる場合、取得された画像は、特定の特性を有する。いくつかの特徴の例は、色特性（例えば、ＲＧＢ特性）、テクスチャ特性、正と負のピクセル数を含むが、これに限らない。いくつかの実施形態において、複数の取得画像における特性は、整合性チェックのために、互いに比較される。これらの特性は、ユーザが誤って近接センサ１０３を覆い、カメラ１０４を覆っていない場合にカメラ１０４によって取得される画像の特性とは異なる。プロセッサ１１２が、カメラ１０４は覆われていないと判断する場合、ブロック３０５からブロック３０４に戻る。プロセッサ１１２が、カメラ１０４は覆われていると判断する場合、ブロック３０５に続きブロック３０６に進む。
【００２４】
ブロック３０６において、プロセッサ１１２は、ユーザがスクリーン１０８上で軌跡（ｔｒａｃｋ）を生成するように、第４の誘導情報を提供する。いくつかの実施形態において、軌跡は、光源領域１１８（例えば、光領域５１０）と、カメラ１０４と、試験片の主要領域とが、互いに整列するように、スクリーン１０８と幾何学的関係を保持する（例えば、図１に関連して、スクリーン１０８の側部１０５に実質的に平行に）。光源領域１１８と、カメラ１０４と、試験片の主要領域との整列について、詳細は後述する。いくつかの実施形態において、スクリーン１０８は、ユーザの指先またはスタイラスペンの軌跡を検知可能なタッチスクリーンである。ブロック３０６に続きブロック３０７に進む。
【００２５】
ブロック３０７において、プロセッサ１１２は、ブロック３０６において生成された軌跡が、幾何学的関係を保持しているか否かを判断する。
【００２６】
図４を参照して、図４は、本開示のいくつかの実施形態による、モバイルコンピューティング機器１００のスクリーン１０８における第１の軌跡４１０及び第２の軌跡４２０を示したモバイルコンピューティング機器の斜視図４００を例示する。
【００２７】
図４において、第１の軌跡４１０は、ユーザの指先またはスタイラスペンが、カメラ１０４からスクリーン１０８に、実質的に垂直に動く軌跡である。当該軌跡は、スクリーン１０８の側部１０５に実質的に平行である。第２の軌跡４２０は、第１の軌跡４１０から、角度４３０だけ逸れる軌跡である。いくつかの実施形態において、角度４３０は、約０．１度から約２０度の間（例えば、約５度）である。
【００２８】
図３に戻り、ブロック３０７と図４に関連して、検出された軌跡が、第１の軌跡４１０であるか、または第１の軌跡４１０と第２の軌跡４２０の間であることに応じて、プロセッサ１１２は、軌跡が幾何学的関係を保持するか否かを判断し、ブロック３０７に続いてブロック３０８が実行される。そうでない場合、ブロック３０７からブロック３０６に戻る。
【００２９】
図５を参照して、図５は、本開示のいくつかの実施形態による、モバイルコンピューティング機器１００のスクリーン１０８における光領域５１０を示したモバイルコンピューティング機器１００の斜視図５００である。
【００３０】
図３及び図５に関連して、ブロック３０８において、プロセッサ１１２は、スクリーン１０８が、ブロック３０７において幾何学的関係を保持すると判断された軌跡に基づいて、スクリーン１０８に光領域５１０を表示するように、スクリーン１０８を設定する。加えて、ブロック３０８において、プロセッサ１１２は、スクリーン１０８上の光領域５１０の位置をユーザが調整するための、第５の誘導情報を提供する。例えば、ユーザは、光領域５１０をタッチし、ホールドしてスクリーン１０８上で新たな位置に移動させる。当該新たな位置は、光領域５１０が移動される前よりもカメラ１０４と整列する位置である。スクリーン１０８は、ユーザの指先またはスタイラスペンを追従して、それに応じてスクリーン１０８を照らし、スクリーン１０８上の光領域５１０を移動させるように構成される。いくつかの実施形態において、光領域５１０は、光源領域１１８と対応する。
【００３１】
上記のように、第２のアプローチでは、ブロック３０３に続き、ブロック３０４から３０７に進むことなく、ブロック３０８に進む。
【００３２】
いくつかの実施形態において、ユーザが光領域５１０調整を止めることに応じて、プロセッサ１１２は、光領域５１０の位置をモバイルコンピューティング機器１００のモデルと関連付け、将来的な利用のため、モバイルコンピューティング機器１００のモデルを既知のモデルとして分類する。光領域５１０とモバイルコンピューティング機器１０との関連付け及び分類情報は、データベースにアップロードされてもよい。データベースは、複数のユーザがアクセス可能である。いくつかの実施形態において、他のユーザの他の機器における測光試験片分析器１１７は、データベースへの有線または無線通信を通して更新され、データベースから光領域５１０とモバイルコンピューティング機器１０のモデルとの関連付け及び分類情報を取得する。経時的に、モバイルコンピューティング機器１００のモデル数は増加し、ユーザフレンドリーな体験をもたらす（例えば、図３におけるブロック３０３からブロック３０９）。
【００３３】
ブロック３１０において、プロセッサ１１２は、スクリーン１０８における光領域５１０の位置に応じて、ユーザがモバイルコンピューティング機器アダプタ２１０をモバイルコンピューティング機器１００に配置するための、第６の誘導情報を提供する。いくつかの実施形態において、分析物をより良く測定するように、ブロック３１０に続き方法６００に進む。
【００３４】
図６は、本開示のいくつかの実施形態による、試験片２２１を受けるアダプタ（例えば、モバイル機器アダプタ２１０、または一体化されたモバイル機器アダプタ２１０と試験片アダプタ２２０）に連結された、モバイルコンピューティング機器１００を用いて、分析物をより良く測定する方法６００のフローチャートである。試験片２２１は、分析物と反応する試薬を含む主要領域を有する。方法６００は、１つまたは複数のブロックによって示される１つまたは複数の操作、機能または動作を含む。方法６００及び本明細書における他の方法のブロックは、順次的に示されるが、これらのブロックは並列に、または本明細書で説明される順序とは異なる順序で、実行されてもよい。また、種々のブロックが、少数のブロックに結合され、追加のブロックに分割され、または望ましい実装に基づいて削除されてもよい。方法６００は、ブロック６０１から開始する。
【００３５】
ブロック６１０において、図１に関連して、プロセッサ１１２は、測光試験片分析器１１７を実行するようにユーザ入力を受ける。それに応じて、プロセッサ１１２は、測光試験片分析器１１７のためのコードを実行する。ブロック６０１に続き、ブロック６０２に進む。
【００３６】
ブロック６０２において、プロセッサ１１２は、スクリーン１１８上に、ユーザと交信するためのユーザインタフェースを提供する。ブロック６０２に続き、ブロック６０３に進む。
【００３７】
ブロック６０３において、ユーザが試験片２２１を試験片アダプタ２２０挿入するため、及び／または、モバイルコンピューティング機器１００の第１の位置を調整するために、第１の誘導情報を提供する。
【００３８】
図２に関連して、ユーザは、試験片２１１を試験片アダプタ２２０に挿入する。試験片アダプタ２２０は、モバイルコンピューティング機器アダプタ２１０に連結または統合されている。いくつかの実施形態において、モバイルコンピューティング機器１００は、試験片２２１の反応領域を照らすように光源領域１１８が光を放射するため、カメラ１０４が反応領域の画像を取得するため、及び取得された反応領域の画像を分析するようにプロセッサ１１２（図１）が測光試験片分析器１１７（図１）のコードを実行するために、実質的に水平な位置を維持する。
【００３９】
図７を参照して、図７は、本開示のいくつかの実施形態による、モバイルコンピューティング機器１００の姿勢を示すモバイルコンピューティング機器１００の斜視図７００を例示する。いくつかの実施形態では、図６に関連して、及びブロック６０３において、プロセッサ１１２は、ユーザが、モバイルコンピューティング機器１００の第１の位置を実質的に水平な位置に調整するための、第２の誘導情報を提供する。当該実質的に水平な位置は、基準水平面７１０に実質的に水平である。いくつかの実施形態において、角度７２０は、モバイルコンピューティング機器１００が、基準水平面７１０に実質的に平行に配置されるとき、閾値よりも小さい。いくつかの実施形態において、取得された画像の分析精度は、モバイルコンピューティング機器１００が、基準水平面７１０に実質的に平行に配置されることに応じて増加する。ブロック６０３に続き、ブロック６０４に進む。
【００４０】
ブロック６０４において、図７に関連して、プロセッサ１１２は、モバイルコンピューティング機器１００の第１の位置を検知し、モバイルコンピューティング機器１００の第１の位置が実質的に平行か（例えば、水平基準面７１０に平行か）否かを判断する。いくつかの実施形態において、プロセッサ１１２は、モバイルコンピューティング機器１００に内蔵された、または取り付けられた、ジャイロセンサ及び／または加速度センサによって収集されたデータに、角度７２０を取得するためにアクセスする。角度７２０が第１の閾値を超える場合、ブロック６０４からブロック６０３に戻り、ユーザがモバイルコンピューティング機器１００の第１の位置を水平基準面７１０と実質的に平行に調整するように、第２の誘導情報を提供する。角度７２０が第１の閾値を超えない場合、ブロック６０４に続きブロック６０５に進む。
【００４１】
ブロック６０５において、プロセッサ１１２は、カメラ１０４で試験片２２１の反応領域の画像を取得し、分析物に関連する情報を得るために画像上で分析を行うように、測光試験片分析器１１７のコードを実行する。
【００４２】
ブロック６０６において、プロセッサ１１２は、カメラ１０４により取得された画像の分析中に、モバイルコンピューティング機器１００の第２の位置を検知し、第２の位置が実質的に水平か（例えば、水平基準面７１０に平行か）否かを判断する。
【００４３】
上記のように、プロセッサ１１２は、モバイルコンピューティング機器１００に内蔵された、または取り付けられた、ジャイロセンサ及び／または加速度センサによって収集されたデータに、カメラ１０４により取得された画像の分析中、角度７２０を取得するためにアクセスする。角度７２０が第１の閾値を超える場合、ブロック６０６からブロック６０３に戻り、分析を終了して、ユーザがモバイルコンピューティング機器１００の位置を水平基準面７１０に実質的に平行に調整するように、第２の誘導情報を提供する。角度７２０が第１の閾値を超えない場合、ブロック６０６に続き、ブロック６０７に進む。
【００４４】
ブロック６０７において、角度７２０が第２の閾値を超え、一方で第１の閾値を超えない場合、ブロック６０７に続き、ブロック６０８に進む。角度７２０が第２の閾値を超えない場合、ブロック６０７に続き、分析結果（例えば、分析物に関連する情報）を出力するように、ブロック６０９に進む。
【００４５】
ブロック６０８において、プロセッサ１１２は、角度７２０に対応する過去データを取得する。この角度７２０は、第２の閾値を超えるが、第１の閾値を超えない角度である。過去データは、第１の閾値と第２の閾値との間の様々な角度７２０に対応する補正値を含む。いくつかの実施形態において、ブロック６０６で検知される角度７２０に基づき、プロセッサ１１２は、補間またはルックアップを通して、過去データに基づく補正値を取得する。測光試験片分析器１１７は、補正値を分析結果の補正に利用できる。ブロック６０８に続き、補正された分析結果を出力するように、ブロック６０９に進む。
【００４６】
上記から、本開示の様々な実施形態が例示の目的で本明細において記載され、本開示の範囲および精神から逸脱することなく、様々な変更が可能であると理解される。したがって、本明細書で開示される様々な実施形態は、限定することを意図するものではなく、真の範囲および精神は、以下の特許請求の範囲によって示される。
【図１】
0006871407.tif 000002
【図２】
0006871407.tif 000003
【図３】
0006871407.tif 000004
【図４】
0006871407.tif 000005
【図５】
0006871407.tif 000006
【図６】
0006871407.tif 000007
【図７】
0006871407.tif 000008